(57)【要約】【課題】移動体通信機において不在着信や未読メールが多数発生した場合には、最新のものから順番にコールバックや返信をするのではなく、優先順位を付けて処理する必要がある。本発明の目的は、優先順位を付けた処理方法を提供することにある。【解決手段】アドレス帳にアドレスを登録するときに、当該アドレスの優先度のグループ情報も一緒に登録する手段、不在着信があった場合にはグループ別の不在着信リストに登録できる手段、優先度の高いグループから不在着信リストを表示する手段を特徴とする移動体通信機の着信履歴表示方式である。【選択図】図１
2007129506.tif 000002
【特許請求の範囲】
【請求項１】
移動体通信機において、電話番号・メールアドレス・名前・優先度などの属性を持つアドレス情報をアドレス帳として登録・利用する手段、会議中や移動中等における不在着信（または未読メール）リストを作成する手段、不在着信（または未読メール）リストをアドレス帳の優先度に応じてグループ化する手段、優先度の高いグループから不在着信（または未読メール）リストを表示する手段、表示された不在着信（または未読メール）リストを選択することでコールバック（または未読メールを表示）し、不在着信（または未読メール）を着信応答済み（または既読メール）とする手段とを特徴とする着信履歴表示方式。
【請求項２】
請求項１のグループ別不在着信（または未読メール）リストでは、着信の新しい順または着信の古い順に表示、あるいはそれらのいずれかを選択できることを特徴とする着信履歴表示方式。
【請求項３】
請求項２において、デフォルトは着信の古い順に表示することを特徴とする着信履歴表示方式。
【請求項４】
請求項１において、移動体通信機の待ち受け画面に、グループ別の不在着信（または未読メール）数に応じたアイコン、または外部表示ランプ、またはアイコンと外部表示ランプの両方を表示することを特徴とする着信履歴表示方式。
【請求項５】
請求項４において、不在着信（または未読メール）数がないグループは当該アイコンを表示せず（または外部表示ランプを点燈せず）、当該数が１からＮ（Ｎは自然数）までの間は当該アイコンを表示する（または外部表示ランプを点燈する）だけ、当該数がＮを超える場合には当該アイコンをブリンク、または色の変更、またはアイコン形状の変化、またはそれらの組み合わせで区別させる（または外部表示ランプを点滅する）ことを特徴とする着信履歴表示方式。
【請求項６】
請求項４において、不在着信（または未読メール）数がないグループは当該アイコンを表示せず（または外部表示ランプを点燈せず）、当該数が１からＮ（Ｎは自然数）までの間は期間Ｔの間のブリンク回数（または外部表示ランプを点滅する回数）を当該数とし、当該数がＮを超える場合はそのまま当該アイコンを表示する（または外部表示ランプを点燈する）ことを特徴とする着信履歴表示方式。
【請求項７】
請求項１において、アドレス帳にない不在着信（または未読メール）は優先度が一番低いグループとすることを特徴とする着信履歴表示方式。
【請求項８】
請求項１において、リスト表示するグループは選択できることを特徴とする着信履歴表示方式。
【発明の詳細な説明】
【技術分野】
【０００１】
本発明は、移動体通信機に関わり、特に携帯電話や通信機能を持ったモバイル端末における、電話・メールの着信履歴を、着信の優先度に応じて表示することを特徴とする着信履歴表示方式に関するものである。
【背景技術】
【０００２】
従来の移動体通信機、例えば携帯電話では、着信があった場合には、相手先電話番号や、相手先電話番号がアドレス帳に登録されている場合には当該氏名を、着信の新しい順に不在着信を識別できるリスト表示し、さらにこのリストの中から１つを選択してコールバックすることもできるものであった。しかし、着信数が多くなると、この中から目的のものを探すことは大変な作業であった。このような問題を解決する手段として、例えば特許文献１では、不在着信のみリストとして残すことが開示されている。しかし、会議や移動中等で、不在着信数が非常に多く発生する場合がある。その場合には、不在着信のみのリストの中から目的の着信を探すのはやはり大変であった。
【特許文献１】特開２００１−１１１６５８号公報
【発明の開示】
【発明が解決しようとする課題】
【０００３】
移動体通信機利用者にとって、着信の優先度は相手先によって異なっている。例えば、重要顧客や上司、恋人などは優先度が高く、一方、アドレス帳に登録されていないようなセールスなどは優先度が低い。そのため、不在着信に対して、優先度の高いグループ順に対応できることが求められている。
【課題を解決するための手段】
【０００４】
移動体通信機において、電話番号・メールアドレス・名前・優先度などの属性を持つアドレス情報をアドレス帳として登録・利用する手段、会議中や移動中等における不在着信（または未読メール）リストを作成する手段、不在着信（または未読メール）リストをアドレス帳の優先度に応じてグループ化する手段、優先度の高いグループから不在着信（または未読メール）リストを表示する手段、表示された不在着信（または未読メール）リストを選択することでコールバック（またはメールを表示）し、不在着信（または未読メール）を着信済み（または既読）とする手段とを持つことで、不在着信（または未読メール）を優先度の高い順に処理することができる。
【発明の効果】
【０００５】
不在着信（または未読メール）が非常に多くなった場合にも、容易に優先度の高い順にコールバック（または返信）ができるので、移動体通信機の利用性が向上する。
【発明を実施するための最良の形態】
【０００６】
本発明は、多忙なビジネスマンで、移動体通信機の利用において、着信数が多く、かつ、使用する時間が限られるために、不在着信（または未読メール）が多くなる場合に適したものである。
【実施例１】
【０００７】
図１〜図５、図７、図８を用いて、着信履歴表示方式の本発明の一実施例を説明する。最初に図を説明する。図１は、本発明の移動体通信機の例として携帯電話の構成を示したものである。携帯電話本体１００は表示部１０１、表示部１０１に示されるアイコン等の選択場所を移動させるための選択移動ボタン１１０、選択されたアイコン等を決定するための決定ボタン１１１、表示部１０１の特定場所に表示されるメニューのメニュー選択ボタン１１２，１１３、数字・文字等入力ボタン１２０から構成される。表示部１０１には、グループ別の不在着信数の状態を示すアイコン１０２、グループ別の未読メール数の状態を示すアイコン１０３が表示されている。さらに、グループ別の不在着信数（または未読メール数）をより視覚的に分かりやすくするために、グループ別の外部表示ランプ１０４を設けてもよい。
【０００８】
図２は図１の表示部１０１に不在着信リストを表示した例である。表示部２００には、グループ別の不在着信アイコン２０１が表示され、現在、グループ１が選択されていることを示すアイコン２０２があり、選択されたグループ１の不在着信リスト２１０、２１１、２１２が表示されている。そして、不在着信リストのなかで選択されている不在着信として２１０が反転表示されている。図３は、携帯電話３００のシステム構成例を示したものである。中央処理手段３０１、記憶手段３０２、不在着信リスト等を表示する表示手段３０３、電話としての会話手段３０４、操作ボタン等の操作入力手段３０５、メール手段３０６、アドレス帳手段３０７、通信手段３０８、そして、アンテナ３１０から構成される。
【０００９】
図４は、アドレス帳のテーブル構成４００の例を示したものである。項番４０１、名前４０２、名前の読み４０３、電話番号４０４、メールアドレス４０５、そして、不在着信時の優先度を示すグループ４０６から構成される。アドレス帳４００のデータ例としてデータ４１０では、項番４０１は「１」、名前４０２は「山田」、名前の読み４０３は「ヤマダ」、電話番号４０４は「09012345678」、メールアドレス４０５は「yamada@abc.co.jp」、そして、不在着信時の優先度を示すグループ４０６は「１」である。他のデータ例４１１、４１２、４１３も同様である。図５は、不在着信テーブル５００の例である。項番５０１、着信日５０２、曜日５０３、着信時刻５０４、名前／電話番号５０５、グループ５０６から構成される。不在着信テーブル５００のデータ例としてデータ５１０では、項番５０１は「１」、着信日５０２は「9/05」、曜日５０３は「月」、着信時刻５０４は「15:55」、名前／電話番号５０５は「0355551234」、グループ５０６は「３」である。他のデータ例５１１〜５１６も同様である。
【００１０】
図７の不在着信の受け付け処理フローチャートに従って、本発明の処理を説明する。携帯電話３００に通信手段３０８を通じて着信があった場合に処理が開始する（ブロック７００）。会話手段３０４により、当該着信が処理できない場合（一定時間経過後会話が出来ない場合など）、不在着信の受付処理を行う（ブロック７０１）。不在着信テーブル５００の項番１以降の項番データを移動し、項番１のところに、着信日５０２、曜日５０３、着信時刻５０４を記入する。不在着信の電話番号がアドレス帳４００に登録されている場合には、名前／電話番号５０５はアドレス帳４００を利用して名前を入れ、グループ５０６も当該アドレスのグループを入れる。一方、アドレス帳４００に登録していない電話番号の場合には、名前／電話番号５０５はそのまま当該電話番号を入れ、グループ５０６はデフォルトで指定されたものを入れる（ブロック７０３）。
【００１１】
この例では、グループは全体で３つあり、アドレス帳４００に登録する場合には、優先度の高い順にグループ１、グループ２を利用し、アドレス帳にない場合のデフォルトとしてグループ３を利用する。グループの数は３に限定されるものでもなく、いくつでもよい。グループ１を優先度の低いものとしてもよい。さらに、グループ名称として、数字ではなく、会社、個人、その他という名称でもよい。不在着信テーブル５００における各グループの着信数を調べ、その着信数に応じた不在着信アイコン表示１０２を行う（ブロック７０３）。不在着信がないグループは当該アイコンを表示せず、当該数が１からＮ（Ｎは自然数）までの間は当該アイコンを表示するだけで、当該数がＮを超える場合には当該アイコンをブリンク（一定間隔で表示／非表示を繰り返す）させる。ブリンクの代わりに、色の変更、アイコン形状の変更、またはそれらの組み合わせで区別させてもよい。
【００１２】
また、当該数が１からＮ（Ｎは自然数）までの間は、当該数を指定した期間Ｔの間でのブリンク回数に対応させ、当該数がＮを超える場合には当該アイコンをそのまま表示してもよい。アイコン表示１０２の代わり、または、同時に外部表示ランプ１０４を同様に点灯または点滅させてもよい。アイコン表示１０２を行った後、処理は終了する（ブロック７０４）。次に、図８の処理フローチャートを使って、着信履歴表示やそれを使ったコールバック処理について説明する。利用者は携帯電話１００の選択移動ボタン１１０を使うことで処理を開始する（ブロック８００）。利用者はグループ別不在着信アイコン１０２の中から、表示させたいグループのアイコンを選択移動ボタン１１０で選択し、決定ボタン１１１で決定する(ブロック８０１)。不在着信テーブル５００の中から、当該グループの不在着信だけを選択して表示部２００に表示する（ブロック８０２）。
【００１３】
図２では、選択された不在着信グループ２０２と当該グループの不在着信リスト２１０〜２１２を表示する。利用者はリストの中から目的の不在着信２１０を選択移動ボタン１１０で選択し、決定ボタン１１１で決定する。当該不在着信２１０に対して、コールバックするか不在着信を解除するかをメニュー選択ボタン１１２，１１３で選択する（ブロック８０３）。コールバックを選択した場合には、当該不在着信２１０の電話番号にコールバック処理を行う（ブロック８０４）。その後、当該不在着信２１０を消去するために、不在着信テーブル５００のデータ５１１を削除し、表示部２００からも当該不在着信２１０の表示を消去する（ブロック８０５）。解除を選択した場合も同様に当該データ５１１を削除し、表示部２００からも当該不在着信２１０の表示を消去する（ブロック８０５）。その後、処理を終了する(ブロック８０６)。図２の例では、不在着信リストを着信の新しい順に並べたが、古い順に並べてもよく、また、利用者にどちらかを選択できるようにしてもよい。
【実施例２】
【００１４】
実施例１は、不在着信の例であったが、未読メールについても同様に実施例を説明することができる。図６は未読メールテーブル６００である。図５の不在着信テーブル５００との違いは、名前／電話番号５０５の代わりに名前／アドレス６０５になっている点である。図１の不在着信アイコン１０２の代わりに、未読メールアイコン１０３を選択することで、不在着信処理が未読メール処理となることである。図２、図７、図８において、「不在着信」を「未読メール」と置き換えればよい。ただし、図８の「コールバック」は、「未読メールを表示する」ことに対応する。
【産業上の利用可能性】
【００１５】
本発明を用いれば、多忙なビジネスマンが、優先度の高い順に移動体通信機でのコミュニケーションを行うことができるため、ビジネスの効率を一層高めることができる。
【図面の簡単な説明】
【００１６】
【図１】移動体通信機の構成例。
【図２】不在着信リスト表示の画面例。
【図３】移動体通信機のシステム構成例。
【図４】アドレス帳。
【図５】不在着信テーブル。
【図６】未読メールテーブル。
【図７】不在着信の受け付け処理フローチャート。
【図８】不在着信のコールバック等の処理フローチャート。
【符号の説明】
【００１７】
１００…移動体通信機の本体
１０１…移動体通信機の表示部
１０２…グループ別不在着信表示アイコン
１０３…グループ別未読メール表示アイコン
１０４…グループ別外部表示ランプ
１１０…選択移動ボタン
１１１…決定ボタン
１１２…右側メニュー選択ボタン
１１３…左側メニュー選択ボタン
１２０…数字・文字等入力用ボタン
２００…不在着信リスト表示画面
２０１…グループ別不在着信表示アイコン
２０２…選択された不在着信グループ
２１０…選択された不在着信
２１２、２１３…未選択の不在着信
【図１】
2007129506.tif 000003
【図２】
2007129506.tif 000004
【図３】
2007129506.tif 000005
【図４】
2007129506.tif 000006
【図５】
2007129506.tif 000007
【図６】
2007129506.tif 000008
【図７】
2007129506.tif 000009
【図８】
2007129506.tif 000010